(57)【要約】【課題】コーンとコーンバーとからなるバリケードの利便性を生かしつつ、バリケード設置面近くの高さにもコーンバーが簡単に配置できるようにし、白杖使用者にもコーンとコーンバーとからなるバリケードの存在が把握し易くなるようにする。【解決手段】コーン２の少なくとも対向二方の傾斜面部それぞれに上下二ヶ所にしてバー端部挿入孔５を開口し、コーンバー３は両端それぞれに位置してバー端部挿入孔５に挿入して係止可能な係止体７を備え、コーン２の上下二ヶ所のバー端部挿入孔５の内、下位のバー端部挿入孔５がコーン底部近傍の高さ位置に設けられていて、並べ置いた二つのコーン２それぞれにおけるバー端部挿入孔５に係止体７を対応させてコーン２間に上下二段にしてコーンバー３を架け渡したときの下段のコーンバー３が、バリケード設置面から離れて且つバリケード設置面近傍の高さ位置で支持される構成とした。【選択図】図１
0003127987.tif 000002
【実用新案登録請求の範囲】
【請求項１】
コーンと、間隔を置いて並べた二つの前記コーンの間に上下二段にして架け渡し可能なコーンバーとからなるバリケードであって、前記コーンは少なくとも対向二方の傾斜面部それぞれに上下二ヶ所にしてバー端部挿入孔を開口し、前記コーンバーはバー本体とこのバー本体の両端それぞれに位置して前記バー端部挿入孔に挿入して係止可能な係止体とを備えてなり、上下二ヶ所のバー端部挿入孔の内、下位のバー端部挿入孔がコーン底部近傍の高さ位置に設けられていて、並べ置いた二つのコーンそれぞれにおける前記バー端部挿入孔に係止体を対応させてコーン間に上下二段にしてコーンバーを架け渡したときの下段のコーンバーが、バリケード設置面から離れて且つバリケード設置面近傍の高さ位置で支持される構成を備えることを特徴とするバリケード。
【考案の詳細な説明】
【技術分野】
【０００１】
本考案は工事などの作業区画と一般人が往来する歩道などの一般区画との間に置かれるバリケードに関するものである。
【背景技術】
【０００２】
従来、この種のバリケードにおいては、コーンを間隔を置いて並べ、両端に環状の係止体を配したコーンバーにおける前記係止体をコーンの頂部に上方から掛けるようにしてそのコーンバーを渡すものがあり、構成が簡単であって設置作業や撤去作業、運搬作業が容易となることから多く利用されている（例えば、特許文献１参照）。
【特許文献１】実開昭５５−０７１７１５号公報
【考案の開示】
【考案が解決しようとする課題】
【０００３】
ところで、コーンを間隔を置いて並べてそのコーンの間それぞれにコーンバーを架け渡してなるバリケードにおいては、コーンバーの高さ位置がバリケード設置面から約６０ｃｍ位の高さとなっているが、目が不自由な白杖使用者にあっては白杖により歩行面近くで段差や障害物の存在を把握しているため、白杖の先端がコーンバーの下側に入り込むようなことがあると、そのバリケードの存在を早期に把握することが困難となり易く、バリケードに体が接触したり、バリケードにぶつかって仕切っている工事区画内へ転んだりするという可能性がある。なお、他の形式のバリケードにおいてはＭＡスタンドに上下二段にして単管を架け渡すタイプのものがあり、下段の単管がバリケード設置面に近い高さ位置に配置されるが、このバリケードではＭＡスタンド自体が自立せず、建設工事用の単管をＭＡスタンド側のクランプで固定するものであり、設定や撤去、運搬が容易に行なえるものではない。
そこで本考案は上記事情に鑑み、コーンとコーンバーとからなるバリケードの利便性を生かしつつ、バリケード設置面近くの高さにもコーンバーが簡単に配置できるようにすることを課題とし、白杖使用者にもコーンとコーンバーとからなるバリケードの存在が把握し易くなるようにすることを目的とするものである。
【課題を解決するための手段】
【０００４】
本考案は上記課題を考慮してなされたもので、コーンと、間隔を置いて並べた二つの前記コーンの間に上下二段にして架け渡し可能なコーンバーとからなるバリケードであって、前記コーンは少なくとも対向二方の傾斜面部それぞれに上下二ヶ所にしてバー端部挿入孔を開口し、前記コーンバーはバー本体とこのバー本体の両端それぞれに位置して前記バー端部挿入孔に挿入して係止可能な係止体とを備えてなり、上下二ヶ所のバー端部挿入孔の内、下位のバー端部挿入孔がコーン底部近傍の高さ位置に設けられていて、並べ置いた二つのコーンそれぞれにおける前記バー端部挿入孔に係止体を対応させてコーン間に上下二段にしてコーンバーを架け渡したときの下段のコーンバーが、バリケード設置面から離れて且つバリケード設置面近傍の高さ位置で支持される構成を備えることを特徴とするバリケードを提供して、上記課題を解消するものである。
【考案の効果】
【０００５】
本考案によれば、バリケード設置面の近くに下段のコーンバーがあるため、白杖使用者が白杖の先端で前方の状況を探った場合、本バリケードがあると白杖の先端側に前記下段のコーンバーが接触することになり、また白杖で前方を探る操作をしているときに白杖の先端が多少上下動しても、下段のコーンバーがバリケード設置面に接しているものではないため、白杖の先端側が確実に下段のコーンバーに接触するようになり、障害物があることを早期に把握し易くなるなど、実用性に優れた効果を奏するものである。
【考案を実施するための最良の形態】
【０００６】
つぎに本考案を図１から図７に示す実施の形態に基づいて詳細に説明する。
図中１はバリケードで、図１に示すように該バリケード１はコーン２と、このコーン２を間隔を置いて並べて隣り合う二つのコーン２の間に上下二段にして架け渡すコーンバー３とからなるものである。前記コーン２は八方に傾斜面部４を備えていて、相対する二方の傾斜面部４とこの二方に直交する方向で相対している二方の傾斜面部４とのそれぞれに、すなわち、四方の傾斜面部４それぞれに上下二ヶ所にしてバー端部挿入孔５が開口され、また、上下二段にして用いるコーンバー３は同一形状であり、バー本体６の両端に係止体７を取り付けてなるものである（図２参照）。コーンバー３の端部である前記係止体７がコーン２のバー端部挿入孔５に抜き差し可能に挿入でき、かつ、係脱可能にしてこのバー端部挿入孔５に係止できるように設けられている。
【０００７】
図示されているように上記係止体７は、図２に示されているようにバー本体６への取付部８の外側にバー本体６の径より大径の球状とした係止手段９を設けたものである。上記バー端部挿入孔５は、前記球状の係止手段９を通すことのできる大きさの丸孔部１０下部に、前記係止手段９の径より細幅で、かつバー本体６の径及び係止体７の取付部の径より大きい幅にして丸孔部１０に通したバー本体６や前記取付部８を配置させることのできる縦孔部１１が連続している。これによって、係止体７の係止手段９を丸孔部１０に通してから縦孔部１１に取付部８やバー本体６を位置させることでコーンバー３の端部をバー端部挿入孔５に係止させることができる。取り外しに際しては係止体７を丸孔部１０に位置させてから抜き出すようにすればよい。
上述したように隣り合う二つのコーン２の間において上下二段にしてコーンバー３を架け渡すことでバリケード１が組まれることになる。下段のコーンバー３の端部それぞれが対応する下側のバー端部挿入孔５はコーン２の底部近傍の高さ位置とされており、よって、前記下段のコーンバー３が、バリケード設置面から離れて且つバリケード設置面近傍の高さ位置で支持される。例えば、バリケード設置面から下段のコーンバー３までの間が約１７ｃｍ程度とすることが良好であり、このバリケードの近くで白杖使用者がその白杖の先端を地面等に摺るように前方左右に移動させても、そして多少上下動させながら前方左右に移動させても、その白杖がバリケードに接触する場合には最初に白杖の先端側が接触することとなり、早期にバリケードの存在を把握できるようになる。
【０００８】
なお、隣り合うコーン２での上位側のバー端部挿入孔５の間隔と下位側のバー端部挿入孔５の間隔とでは下位側のバー端部挿入孔５の間隔の方が短くなるが、下段にコーンバー３の端部が多少深くコーン内部に差し入れられるようにすればよい。
また、上段にコーンバーを配するに際して、一つのコーン２に相対する二方向から、また直交する方向からバー端部挿入孔５を通して係止体７が挿入されることになるが、コーン２の内部でこれらの係止体７が相互にぶつかり合ってバー端部挿入孔５に対する係止が不能となることが生じないように設けられている（図３）。
【０００９】
上記実施の例においては、係止体７を一つの係止手段９を備えるものとし、バー端部挿入孔５は、球状の前記係止手段９が通る丸孔部１０とこの丸孔部１０の下部に連続し係止体７の取付部８やバー本体６が入る幅で係止手段９が係止する幅となる縦孔部１１とからなるものとしたが、本考案はこの例に限定されるものではない。図４〜６は他の例を示していて、この例において係止体７がバー端部挿入孔５に対して係脱可能となるようにするために以下の構造としている。
まず、コーン２の上記四方の傾斜面４それぞれの上下二ヶ所に位置するバー端部挿入孔４にあっては、上位のバー端部挿入孔５が細幅にした縦孔からなる開口形状とされ、下位のバー端部挿入孔５が上位のバー端部挿入孔５より太幅にした縦孔からなる開口形状とされている（図５）。また、コーンバー３のバー本体６の両端に位置する係止体７にあっては、外端側から第一係止手段１２と第二係止手段１３とが順に設けられ、第二係止手段１３の外端側とは反対側を上記取付部８としている。
そして、第一係止手段１２は上記上位のバー端部挿入孔５に縦入れできる円板部１２ａに首部１２ｂを連続させていて、上位のバー端部挿入孔５に第一係止手段１２の円板部１２ａを入れた後、このコーンバー３を９０度で軸回転させることにより、上位のバー端部挿入孔５に係止できるようにしている。また、第二係止手段１３は上位のバー端部挿入孔５の開口幅より厚さ寸法を大きくして下位のバー端部挿入孔５に縦入れできる円板部１３ａに首部１３ｂを連続させ、下位のバー端部挿入孔５に第二係止手段１３の前記円板部１３ａを入れた後、このコーンバー３を９０度で軸回転させることにより、下位のバー端部挿入孔５に係止できるようにしている。
この例のバリケード１において、二つのコーン２の間に上下二段にしてコーンバー３を掛け渡す場合、上段のコーンバー３では係止体７の上記第一係止手段１２それぞれを上位のバー端部挿入孔５に係止させ、そして、下段のコーンバー３では係止体７の上記第二係止手段１３それぞれを下位のバー端部係止孔５に係止させるものであり、上段使用の場合の掛け止め位置（第一係止手段１２）と下段使用の場合の掛け止め位置（第二係止手段１３）とが事前に設定されているため、上下段それぞれのコーンバー３はより安定した状態で掛け渡し方向にずれを生じさせることなく安定的に支持される（図６）。
【００１０】
さらに図７においては係止体７の他の変形例を示している。この例においてはバー本体６への取付部８とは反対側に先端に向けて凸となる半月形状の半円板部１４ａと、この半円板部１４ａから取付部８にかけて順に板幅寸法が大きく形成された第一首部１４ｂ、第二首部１４ｃとからなる係止手段１４を備えているものである。そして、前記係止手段１４での半円板部１４ａ、第一首部１４ｂ、第二首部１４ｃそれぞれは上記縦孔部１１に縦入れして挿入できる厚さ寸法とされていて、バリケード１において、二つのコーン２の間に上下二段にしてコーンバー３を掛け渡す場合、上段のコーンバー３での係止体７では、係止手段１４の半円板部１４ａ、第一首部１４ｂを縦入れ状態で縦孔部１１に挿入して前記第一首部１４ｂがその縦孔部１１に位置するようにして係止させる。図示されているように第一首部１４ｂと第二首部１４ｃとの間には段部１４ｄがあり、上段位置ではこの段部１４ｄと半円板部１４ａとの間の第一首部１４ｂでのみズレ込みが許容された状態でコーンバー３が支持されるようにしている。そして、下段のコーンバー３の係止体７では第二首部１４ｃまで縦孔部１１を挿し入れるようにするものであり、上段位置のコーンバー３の掛け渡しで二つのコーンの間の距離が定まるようになるため、下段のコーンバー３の係止体７を前述のように縦孔部１１に係止させる形態としてもこの下段のコーンバー３が安定して支持されるようになる。
【図面の簡単な説明】
【００１１】
【図１】本考案に係るバリケードの一例を示す説明図である。
【図２】一例における係止体とバー端部挿入孔とを示す説明図である。
【図３】一例におけるコーンにコーンバーを掛け止めた状態を示す説明図である。
【図４】他の例を示す説明図である。
【図５】他の例における係止体とバー端部挿入孔とを示す説明図である。
【図６】他の例におけるコーンにコーンバーを掛け止めた状態を示す説明図である。
【図７】他の例における係止体を示すもので、（ａ）は上方から見た状態を示す説明図、（ｂ）は側方から見た状態を示す説明図、（ｃ）は第一首部を断面で示す説明図である。
【符号の説明】
【００１２】
１…バリケード
２…コーン
３…コーンバー
４…傾斜面部
５…バー端部挿入孔
６…バー本体
７…係止体
【図１】
0003127987.tif 000003
【図２】
0003127987.tif 000004
【図３】
0003127987.tif 000005
【図４】
0003127987.tif 000006
【図５】
0003127987.tif 000007
【図６】
0003127987.tif 000008
【図７】
0003127987.tif 000009